(57)【要約】【課題】プリンターカバー３の開放操作力を補助すると共に、閉鎖時に閉まる際の衝撃を吸収可能として、プリンターカバー３を確実かつ安全に閉鎖し、操作性良好に開放可能とするプリンターカバー用ダンパー装置を提供すること。【解決手段】プリンターカバー３に固定したブラケットベース１３と、プリンター本体２に取付けたヒンジ枠９に回動可能なダンパーアーム１２とを相対的に移動可能とし、プリンターカバー３の開閉操作に応じてダンパースプリング１４を作用させることに着目し、プリンター本体２に取付けたヒンジ枠９に回動可能なダンパーアーム１２と、ダンパーアーム１２をガイドするブラケットベース１３と、プリンターカバー３の開放操作に伴ってプリンターカバー３を開放方向に付勢可能なダンパースプリング１４と、ダンパーアーム１２をカバー閉鎖位置およびカバー開放位置に選択的に位置させるロックスプリング１５と、を有することを特徴とする。【選択図】図３
2010100013.tif 000002
【特許請求の範囲】
【請求項１】
印字用紙に印字可能な印字部を備えたプリンター本体と、
このプリンター本体との間に設けたカバー開閉軸のまわりに開閉可能に取り付けるプリンターカバーと、
このプリンターカバーと前記プリンター本体との間に設けるプリンターカバー用ダンパー装置であって、
前記プリンター本体に取り付けたヒンジ枠と、
このヒンジ枠に回動可能に取り付けたダンパーアームと、
前記プリンターカバーに固定しているとともに、前記プリンターカバーの開閉操作に応じてこのダンパーアームを、前記プリンターカバーの閉鎖状態に対応するカバー閉鎖位置および前記プリンターカバーの開放状態に対応するカバー開放位置の間にガイドすることができるブラケットベースと、
前記プリンターカバーの開放操作にともなうこのブラケットベースに対する前記ダンパーアームの移動により前記プリンターカバーを開放方向に付勢可能なダンパースプリングと、
前記ダンパーアームを前記カバー閉鎖位置および前記カバー開放位置に選択的に位置させることができるロックスプリングと、
を有することを特徴とするプリンターカバー用ダンパー装置。
【請求項２】
前記ダンパーアームの回動軸は、
前記プリンターカバーの前記カバー開閉軸と平行であって、前記カバー開閉軸とは異なる部位にこれを位置させていることを特徴とする請求項１記載のプリンターカバー用ダンパー装置。
【請求項３】
前記ダンパースプリングは、
前記ブラケットベースと前記ダンパーアームとの間にこれを設けることを特徴とする請求項１記載のプリンターカバー用ダンパー装置。
【請求項４】
前記ダンパーアームは、
前記ヒンジ枠に設けた回動用ピンを回動軸としてこのまわりにこれを回動可能としているとともに、
前記ダンパースプリングは、
前記ロックスプリングに係脱可能なセット用ピンと前記ブラケットベースとの間にこれを設け、さらに、
前記ダンパーアームは、このセット用ピンを介して前記ブラケットベースに沿ってガイドされるようになっていることを特徴とする請求項１記載のプリンターカバー用ダンパー装置。
【請求項５】
前記ブラケットベースには、
前記プリンターカバーの開閉操作にともなって前記セット用ピンが移動する係脱用傾斜面を有するスライドベースを設けることを特徴とする請求項４記載のプリンターカバー用ダンパー装置。
【請求項６】
前記ブラケットベースには、
前記プリンターカバーの開閉操作にともなって前記セット用ピンが係合して移動する長窓を形成してあることを特徴とする請求項４記載のプリンターカバー用ダンパー装置。
【請求項７】
前記ロックスプリングは、
前記セット用ピンが係脱する閉鎖位置用係合部と、
前記セット用ピンが係脱する開放位置用係合部と、を有することを特徴とする請求項４記載のプリンターカバー用ダンパー装置。
【請求項８】
前記ブラケットベースには、前記プリンターカバーの開閉操作にともなって前記セット用ピンが係合して移動する長窓を形成してあるとともに、
前記ロックスプリングの前記閉鎖位置用係合部および前記開放位置用係合部は、この長窓の両端部にそれぞれ位置していることを特徴とする請求項４記載のプリンターカバー用ダンパー装置。
【請求項９】
前記ダンパースプリングは、
前記ブラケットベースのスプリング係合孔のまわりにおける回動の上止点をこえて、前記ロックスプリングに係合して前記プリンターカバーを閉鎖可能とすることを特徴とする請求項４記載のプリンターカバー用ダンパー装置。
【請求項１０】
前記ダンパースプリングの付勢力は、
前記プリンターカバーの自重、および前記セット用ピンと前記ロックスプリングとの間の係合保持力の合計よりこれを小さく設定してあることを特徴とする請求項４記載のプリンターカバー用ダンパー装置。
【発明の詳細な説明】
【技術分野】
【０００１】
本発明はプリンターカバー用ダンパー装置にかかるもので、とくにプリンターカバーの開閉操作を安全かつ確実に行うことができるようにしたプリンターカバー用ダンパー装置に関するものである。
【背景技術】
【０００２】
従来の各種方式のプリンターには、その内部への印字用紙やリボンなどの消耗品の装填作業、さらには印字部その他の部分の保守点検作業のために、プリンター本体との間に設けたカバー開閉軸のまわりにプリンターカバーを回動させ、プリンター本体に対してプリンターカバーを開閉する構造を有するものがある。
このプリンターカバーが大型あるいは重量のあるものの場合には、その開放操作が大変であるとともに、その閉鎖時にプリンター本体とプリンターカバーの周縁部との間に操作者が指などを挟む危険性があるという問題がある。
【０００３】
従来は、当該プリンターカバーの開閉時における安全策として、カバーヒンジ部にロータリーダンパーやトルクヒンジなどを取り付けて、プリンターカバーの閉鎖時の自由落下を防止して、プリンターカバーの閉じ込みが発生しないようにしたり、カバー閉じ込み部にクッション材を取り付けるなどの対策が講じられていた。
【０００４】
しかしながら、上記ロータリーダンパーやトルクヒンジを設けた構成の場合には、プリンターカバーの閉鎖時の勢いによりプリンターカバーが完全に閉まらないという傾向があり、また、上記クッション材を設けた構成の場合には、確実な安全策とはなっていないという問題がある。
【０００５】
【特許文献１】特開平８−２４４３１１号公報
【発明の開示】
【発明が解決しようとする課題】
【０００６】
本発明は以上のような諸問題にかんがみなされたもので、プリンター本体に対してプリンターカバーを確実かつ安全に閉鎖するとともに、操作性良好に開放可能とするようにしたプリンターカバー用ダンパー装置を提供することを課題とする。
【０００７】
また本発明は、プリンターカバーの閉鎖方向への自由落下時における衝撃吸収機能を持ったプリンターカバー用ダンパー装置を提供することを課題とする。
【０００８】
また本発明は、プリンターカバーの開放時には開放操作による開く力を補助するとともに、閉鎖時にはプリンターカバーが閉まる際の衝撃を吸収可能なプリンターカバー用ダンパー装置を提供することを課題とする。
【課題を解決するための手段】
【０００９】
すなわち本発明は、プリンターカバーに固定しているブラケットベースと、プリンター本体に取り付けたヒンジ枠に回動可能に取り付けたダンパーアームとを相対的に移動可能としておき、プリンターカバーの開閉操作に応じてダンパースプリングを作用させること、ダンパーアームをカバー閉鎖位置およびカバー開放位置に選択的に位置させることができるロックスプリングによってブラケットベース内に二カ所のロック構造を採用することに着目したもので、印字用紙に印字可能な印字部を備えたプリンター本体と、このプリンター本体との間に設けたカバー開閉軸のまわりに開閉可能に取り付けるプリンターカバーと、このプリンターカバーと上記プリンター本体との間に設けるプリンターカバー用ダンパー装置であって、上記プリンター本体に取り付けたヒンジ枠と、このヒンジ枠に回動可能に取り付けたダンパーアームと、上記プリンターカバーに固定しているとともに、上記プリンターカバーの開閉操作に応じてこのダンパーアームを、上記プリンターカバーの閉鎖状態に対応するカバー閉鎖位置および上記プリンターカバーの開放状態に対応するカバー開放位置の間にガイドすることができるブラケットベースと、上記プリンターカバーの開放操作にともなうこのブラケットベースに対する上記ダンパーアームの移動により上記プリンターカバーを開放方向に付勢可能なダンパースプリングと、上記ダンパーアームを上記カバー閉鎖位置および上記カバー開放位置に選択的に位置させることができるロックスプリングと、を有することを特徴とするプリンターカバー用ダンパー装置である。
【００１０】
上記ダンパーアームの回動軸は、上記プリンターカバーの上記カバー開閉軸と平行であって、上記カバー開閉軸とは異なる部位にこれを位置させていることができる。
【００１１】
上記ダンパースプリングは、上記ブラケットベースと上記ダンパーアームとの間にこれを設けることができる。
【００１２】
上記ダンパーアームは、上記ヒンジ枠に設けた回動用ピンを回動軸としてこのまわりにこれを回動可能としているとともに、上記ダンパースプリングは、上記ロックスプリングに係脱可能なセット用ピンと上記ブラケットベースとの間にこれを設け、さらに、上記ダンパーアームは、このセット用ピンを介して上記ブラケットベースに沿ってガイドされるようになっていることができる。
【００１３】
上記ブラケットベースには、上記プリンターカバーの開閉操作にともなって上記セット用ピンが移動する係脱用傾斜面を有するスライドベースを設けることができる。
【００１４】
上記ブラケットベースには、上記プリンターカバーの開閉操作にともなって上記セット用ピンが係合して移動する長窓を形成してあることができる。
【００１５】
上記ロックスプリングは、上記セット用ピンが係脱する閉鎖位置用係合部と、上記セット用ピンが係脱する開放位置用係合部と、を有することができる。
【００１６】
上記ブラケットベースには、上記プリンターカバーの開閉操作にともなって上記セット用ピンが係合して移動する長窓を形成してあるとともに、上記ロックスプリングの上記閉鎖位置用係合部および上記開放位置用係合部は、この長窓の両端部（上端内壁部、下端内壁部）にそれぞれ位置していることができる。
【００１７】
上記ダンパースプリングは、上記ブラケットベースのスプリング係合孔のまわりにおける回動の上止点をこえて、上記ロックスプリングに係合して上記プリンターカバーを閉鎖可能とすることができる。
【００１８】
上記ダンパースプリングの付勢力は、上記プリンターカバーの自重、および上記セット用ピンと上記ロックスプリングとの間の係合保持力の合計よりこれを小さく設定してあることができる。
【発明の効果】
【００１９】
本発明によるプリンターカバー用ダンパー装置においては、プリンター本体に取り付けたヒンジ枠に回動可能に取り付けたダンパーアームと、プリンターカバーに固定しているブラケットベースと、を設け、プリンターカバーの開閉操作に応じてダンパースプリングを介してダンパーアームをカバー閉鎖位置およびカバー開放位置の間にガイド可能としたので、ダンパースプリングの付勢力により、プリンターカバーの自重とほぼ釣り合った状態でプリンターカバーを開放する操作力を軽減可能であり、プリンターカバーが保守点検その他の作業中に突然閉まったり、あるいは閉鎖状態が不完全であるなどの問題がなく、開閉操作が容易であるとともに、安全かつ確実である。
【発明を実施するための最良の形態】
【００２０】
本発明は、プリンター本体側のダンパーアームおよびプリンターカバー側のブラケットベースのダンパースプリングを介した相対的な移動により、プリンターカバーの開閉操作に応じてダンパースプリングの付勢力を活用し、プリンターカバーの安全かつ確実な開閉操作を保証可能なプリンターカバー用ダンパー装置を実現した。
【実施例】
【００２１】
つぎに本発明の実施例によるプリンターカバー用ダンパー装置を装備したプリンター（ラベルプリンター１）について、図１ないし図６にもとづき説明する。
図１は、ラベルプリンター１の概略斜視図であって、ラベルプリンター１は、プリンター本体２と、プリンターカバー３と、当該プリンターカバー用ダンパー装置４と、を有する。
【００２２】
プリンター本体２は、底面２Ａと、側面２Ｂと、背面２Ｃと、を有し、背面２Ｃの上縁部においてプリンターカバー３との間に設けたカバー開閉軸５を有し、上記プリンターカバー用ダンパー装置４およびヒンジ部６により、プリンターカバー３をプリンター本体２に対して開閉可能としている。
プリンター本体２内には、ラベルやタグその他任意の印字用紙の供給部７と、この印字用紙に印字可能な印字部８と、その他必要な各種構造と、を備えている。
【００２３】
プリンターカバー３は、上面３Ａと、側面３Ｂと、正面３Ｃと、を有し、上面３Ａとプリンター本体２の背面２Ｃとの間にプリンターカバー用ダンパー装置４を設けている。
【００２４】
図２は、プリンターカバー用ダンパー装置４部分の拡大斜視図、図３は、プリンターカバー用ダンパー装置４の分解斜視図であって、プリンターカバー用ダンパー装置４は、ヒンジ枠９と、回動用ピン１０およびセット用ピン１１と、ダンパーアーム１２と、ブラケットベース１３と、ダンパースプリング１４と、ロックスプリング１５と、スライドベース１６と、を有する。
【００２５】
ヒンジ枠９は、プリンター本体２の背面２Ｃの上縁部においてカバー開閉軸５の近傍にこれを取り付けている。
【００２６】
回動用ピン１０は、ダンパーアーム１２の回動側挿通孔１７およびヒンジ枠９の固定用挿通孔１８にこれを挿通してＥワッシャ１９によりヒンジ枠９にダンパーアーム１２を回動可能に固定している。すなわち、ダンパーアーム１２の回動軸（回動用ピン１０）は、プリンターカバー３のカバー開閉軸５と平行であって、カバー開閉軸５とは異なる部位にこれを位置させている。
【００２７】
セット用ピン１１は、ダンパースプリング１４のセット側端部１４Ａを取り付けるとともに、ダンパーアーム１２のセット側挿通孔２０およびブラケットベース１３の左右一対の長窓２１（後述）にこれを挿通してＥワッシャ２２により固定し、ブラケットベース１３の内側にブラケットベース１３に沿ってダンパーアーム１２をガイド可能に係合している。
【００２８】
ダンパーアーム１２は、断面コ字状の部材であって、上述のように、回動用ピン１０を介して回動用ピン１０（回動軸）のまわりにヒンジ枠９に回動可能にこれを取り付けているとともに、セット用ピン１１を介してブラケットベース１３の長窓２１においてブラケットベース１３に沿ってガイドされるようになっている。
【００２９】
ブラケットベース１３は、断面コ字状の部材であって、プリンター本体２に対するプリンターカバー３のカバー開閉軸５のまわりの開閉方向の面内において、溶着によりプリンターカバー３の上面３Ａにこれを固定している。
ブラケットベース１３には、セット用ピン１１が係合して移動することができる左右一対の長窓２１を形成してある。
長窓２１は、ブラケットベース１３のスプリング固定部２３側からヒンジ枠９側に向かって下降するように傾斜しており、その一端部（上端内壁部２１Ａ）がプリンターカバー３の閉鎖時に対応し、その他端部（下端内壁部２１Ｂ）がプリンターカバー３の開放時に対応している。
【００３０】
ダンパースプリング１４は、ブラケットベース１３のヒンジ枠９側に位置して形成したスプリング係合孔２４にその回動側端部１４Ｂを係合している。
かくしてダンパースプリング１４は、ロックスプリング１５に係脱可能なセット用ピン１１とブラケットベース１３との間にこれを設け、ないしは、ブラケットベース１３のスプリング係合孔２４と長窓２１内のセット用ピン１１を介して、ブラケットベース１３とダンパーアーム１２との間にこれを設けているとともに、後述するように、プリンターカバー３の開放操作にともなうブラケットベース１３に対するダンパーアーム１２の移動によりプリンターカバー３を開放方向に付勢可能である。
【００３１】
ロックスプリング１５は、板バネ材によりこれを構成するもので、ブラケットベース１３のスプリング固定部２３に固定する固定用枠部１５Ａと、この固定用枠部１５Ａからセット用ピン１１方向に延びる左右一対の閉鎖位置用腕部１５Ｂおよびこの閉鎖位置用腕部１５Ｂのそれぞれの先端部に形成した閉鎖位置用係合部１５Ｃと、固定用枠部１５Ａからセット用ピン１１方向に閉鎖位置用腕部１５Ｂより長く延びる延長腕部１５Ｄおよびこの延長腕部１５Ｄの先端部に形成した左右一対の開放位置用係合部１５Ｅと、を有する。
【００３２】
図４は、プリンター本体２に対してプリンターカバー３が閉鎖状態にある要部断面図、図５は、プリンター本体２に対してプリンターカバー３が開放状態にある要部断面図である。
図３に加えて図４を参照すると、ブラケットベース１３のスプリング係合孔２４とは反対側に形成したスプリング固定部２３にロックスプリング１５の固定用枠部１５Ａを重ねるとともに、ブラケットベース１３との間にスライドベース１６を介在させた状態で止めビス２５をスプリング固定部２３にねじ込むことにより、ロックスプリング１５をブラケットベース１３の先端部に固定する。
さらにまた、ロックスプリング１５の閉鎖位置用係合部１５Ｃに形成した係合貫通孔１５Ｆをスライドベース１６の中央部に形成した係合凸部１６Ａに係合して、ロックスプリング１５をブラケットベース１３およびスライドベース１６の適正な位置に位置決めして固定する。
すなわちロックスプリング１５は、その閉鎖位置用係合部１５Ｃおよび開放位置用係合部１５Ｅが、長窓２１の両端部（上端内壁部２１Ａ、下端内壁部２１Ｂ）にそれぞれ位置しており、その閉鎖位置用係合部１５Ｃおよび開放位置用係合部１５Ｅそれぞれにセット用ピン１１が係脱可能であって、ダンパーアーム１２をカバー閉鎖位置（図４を参照）およびカバー開放位置（図５を参照）に選択的に位置させることができる。
【００３３】
スライドベース１６は、その表面が摺動性を保持している合成樹脂材その他の材料からこれを構成し、ブラケットベース１３の内部にこれを設けるもので、プリンターカバー３の開閉操作にともなってセット用ピン１１が移動する左右一対の係脱用傾斜面１６Ｂを有する。
この係脱用傾斜面１６Ｂの傾斜角度は、図４および図５に示すように長窓２１の傾斜角度と同じに設定してある。
【００３４】
図６は、プリンター本体２に対してプリンターカバー３が閉鎖状態にあるセット用ピン１１およびロックスプリング１５（閉鎖位置用係合部１５Ｃ）の部分の要部拡大断面図であって、ダンパースプリング１４のセット側端部１４Ａ（セット用ピン１１）は、ブラケットベース１３のスプリング係合孔２４（回動側端部１４Ｂ）のまわりにおける回動の上止点Ｐをこえて、ロックスプリング１５の閉鎖位置用係合部１５Ｃに係合してプリンターカバー３を閉鎖可能としている。
なお、回動用ピン１０、ブラケットベース１３のスプリング係合孔２４（回動側端部１４Ｂ）および上止点Ｐは、ブラケットベース１３の長さ方向に沿って同一直線上に位置している。
さらに、ダンパースプリング１４の付勢力は、プリンターカバー３の自重、およびセット用ピン１１とロックスプリング１５（閉鎖位置用係合部１５Ｃ）との間の係合保持力の合計よりこれを小さく設定してある。
【００３５】
こうした構成のプリンターカバー用ダンパー装置４を備えたラベルプリンター１において、とくに図４に示すように、プリンターカバー３の閉鎖状態にあっては、プリンターカバー３のカバー開閉軸５のまわりの閉鎖操作にともなって、ダンパーアーム１２の先端部のセット用ピン１１が、スライドベース１６の係脱用傾斜面１６Ｂに沿ってブラケットベース１３の長窓２１の上端内壁部２１Ａ側に位置し、ロックスプリング１５の閉鎖位置用係合部１５Ｃに係合して停止している。
この係合状態におけるセット用ピン１１は、ロックスプリング１５の閉鎖位置用係合部１５Ｃを乗りこえて互いに係合する部位に位置しているため、不用意な操作を加えない限り、プリンターカバー３は開放することがない。
この閉鎖状態では、セット用ピン１１に取り付けられているダンパースプリング１４は、引き延ばされてバネ付勢力が蓄積された状態で保持されている。
【００３６】
さらに、セット用ピン１１（ダンパーアーム１２）は、回動用ピン１０を回動軸として円弧軌道を描くが、ダンパースプリング１４は、回動用ピン１０と同一直線上にある、その回動側端部１４Ｂを回動軸としているため、セット用ピン１１（ダンパースプリング１４のセット側端部１４Ａ）はプリンターカバー３をプリンター本体２に閉じる直前の上止点Ｐをこえ、ロックスプリング１５の閉鎖位置用係合部１５Ｃと係合している閉鎖点Ｑに停止している。
したがって、ダンパースプリング１４の付勢力（プリンターカバー３を開こうとする反力）は、閉鎖点Ｑでは、プリンターカバー３を閉めようとする作用力となってプリンターカバー３を閉鎖状態に保持しようとしている。
プリンターカバー３を開放するにあたって、閉鎖点Ｑからプリンターカバー３を開けようとする力が作用してセット用ピン１０が上止点Ｐをこえたところで、ダンパースプリング１４による付勢力は、プリンターカバー３を閉めておこうとする力から、プリンターカバー３を開けようとする力に切り替わり、プリンターカバー３をあける操作を補助しその力を軽減可能である。
【００３７】
すなわち、とくに図５に示すように、ブラケットベース１３(プリンターカバー３）の回動軸(カバー開閉軸５）と、ダンパーアーム１２の回動軸（回動用ピン１０）とが互いにずれているので、プリンターカバー３が開いた状態では、セット用ピン１１は、ロックスプリング１５の閉鎖位置用係合部１５Ｃを乗りこえて、スライドベース１６の係脱用傾斜面１６Ｂおよび長窓２１内をガイドされ、ロックスプリング１５の開放位置用係合部１５Ｅに係合して保持されている。したがって、不用意な力が加わらない限りプリンターカバー３は閉じるようにはならない。
図５に示すこの開放状態で、セット用ピン１１に取り付けられているダンパースプリング１４は、閉鎖状態で蓄積されていたその付勢力は解放されて縮んでいる。この付勢力は、上述のように、プリンターカバー３の自重とほぼ釣り合った状態でプリンターカバー３をあける操作力を軽減可能である。
逆に、閉鎖方向への操作では、プリンターカバー３が閉まろうとするその重量(勢い)を打ち消すようにダンパースプリング１４が引き延ばされてその付勢力を蓄積しようとするので、プリンターカバー３をゆっくり閉めることができ、プリンターカバー用ダンパー装置４を備えていない場合のように、プリンターカバー３がプリンター本体２方向に急激に閉まって、プリンター本体２との間で指を挟むなどの危険を回避することができる。
【００３８】
上述のようなプリンターカバー３の開閉操作に応じて、ブラケットベース１３は、ダンパーアーム１２をプリンターカバー３の閉鎖状態に対応するカバー閉鎖位置およびプリンターカバー３の開放状態に対応するカバー開放位置の間において相対的に移動可能ないしガイドすることができる。
【００３９】
かくして、プリンターカバー３の閉鎖操作および開放操作のいずれにおいても、危険を回避して安全に、また、確実かつ容易にプリンターカバー３を操作することができる。
【図面の簡単な説明】
【００４０】
【図１】本発明の実施例によるプリンターカバー用ダンパー装置４を装備したプリンター（ラベルプリンター１）の概略斜視図である。
【図２】同、プリンターカバー用ダンパー装置４部分の拡大斜視図である。
【図３】同、プリンターカバー用ダンパー装置４の分解斜視図である。
【図４】同、プリンター本体２に対してプリンターカバー３が閉鎖状態にある要部断面図である。
【図５】同、プリンター本体２に対してプリンターカバー３が開放状態にある要部断面図である。
【図６】同、プリンター本体２に対してプリンターカバー３が閉鎖状態にあるセット用ピン１１およびロックスプリング１５（閉鎖位置用係合部１５Ｃ）の部分の要部拡大断面図である。
【符号の説明】
【００４１】
１  ラベルプリンター（図１）
２  プリンター本体
２Ａ  プリンター本体２の底面
２Ｂ  プリンター本体２の側面
２Ｃ  プリンター本体２の背面
３  プリンターカバー
３Ａ  プリンターカバー３の上面
３Ｂ  プリンターカバー３の側面
３Ｃ  プリンターカバー３の正面
４  プリンターカバー用ダンパー装置（実施例、図２、図４）
５  カバー開閉軸
６  ヒンジ部
７  印字用紙の供給部
８  印字用紙の印字部
９  ヒンジ枠
１０  回動用ピン
１１  セット用ピン
１２  ダンパーアーム
１３  ブラケットベース
１４  ダンパースプリング
１４Ａ  ダンパースプリング１４のセット側端部
１４Ｂ  ダンパースプリング１４の回動側端部
１５  ロックスプリング
１５Ａ  ロックスプリング１５の固定用枠部
１５Ｂ  ロックスプリング１５の左右一対の閉鎖位置用腕部
１５Ｃ  閉鎖位置用腕部１５Ｂの先端部に形成した閉鎖位置用係合部
１５Ｄ  ロックスプリング１５の延長腕部
１５Ｅ  延長腕部１５Ｄの先端部に形成した左右一対の開放位置用係合部
１５Ｆ  閉鎖位置用係合部１５Ｃに形成した係合貫通孔
１６  スライドベース
１６Ａ  スライドベース１６の係合凸部
１６Ｂ  スライドベース１６の係脱用傾斜面
１７  ダンパーアーム１２に形成した回動側挿通孔
１８  ヒンジ枠９に形成した固定側挿通孔
１９  Ｅワッシャ
２０  ダンパーアーム１２に形成したセット側挿通孔
２１  ブラケットベース１３に形成した左右一対の長窓
２１Ａ  長窓２１の上端内壁部
２１Ｂ  長窓２１の下端内壁部
２２  Ｅワッシャ
２３  ブラケットベース１３が有するスプリング固定部
２４  ブラケットベース１３に形成したスプリング係合孔
２５  止めビス
Ｐ    セット用ピン１１（ダンパースプリング１４）の、プリンターカバー３をプリンター本体２に閉じる直前の上止点（ダンパースプリング１４のセット側端部１４Ａ（セット用ピン１１）の、ブラケットベース１３のスプリング係合孔２４（回動側端部１４Ｂ）のまわりにおける回動の上止点）（図６）
Ｑ    セット用ピン１１（ダンパーアーム１２）の、プリンターカバー３をプリンター本体２に閉じた状態の閉鎖点（ロックスプリング１５の閉鎖位置用係合部１５Ｃと係合している閉鎖点）（図６）
【図１】
2010100013.tif 000003
【図２】
2010100013.tif 000004
【図３】
2010100013.tif 000005
【図４】
2010100013.tif 000006
【図５】
2010100013.tif 000007
【図６】
2010100013.tif 000008